(57)【要約】【課題】  限られたスピーカの設置スペースを有するパチンコ機等の遊技機において、より高音質、且つ高出力の音楽、効果音を出力可能な遊技機を提供する。【解決手段】  内枠３の下部に設置されたスピーカ筐体１１内に設置された楕円形コーン式スピーカ１１Ａ、１１Ｂの前面側より発せられる音を外部へ出力するスピーカ孔５８Ａ、５８Ｂと、後面側より発せられる音を外部へ出力するバスレフ孔５９Ａ、５９Ｂとを設け、特にバスレフ孔５９Ａ、５９Ｂより出力される音は、通過孔７８を通してスピーカ筐体１１内に形成されたエンクロージャ１１０、１１１内に一旦出力し、バスレフ空間１１２Ａ、１１２Ｂを介してバスレフ孔５９Ａ、５９Ｂより出力するように構成した。【選択図】  図１７
2005323725.tif 000002
【特許請求の範囲】
【請求項１】
外枠と、
前記外枠に遊技者側の前面側にて開閉可能となるように取り付けられた内枠と、
前記内枠の下方で、前記外枠の前面部を左右方向及び上下方向の各全幅に渡って覆うように設けられたスピーカ筐体と、を備え、
前記スピーカ筐体は、
前記スピーカ筐体の内部で左右一対に形成された音響空間と、
前記スピーカ筐体の略中心位置で前記音響空間を左右に区画する区画壁と、
楕円形状を有するとともに、楕円の長径が前記スピーカ筐体の長さ方向に沿って前記音響空間に配置されたスピーカと、
前記スピーカ筐体の前面略両端部に設けられ、前記スピーカの前面側より発せられる音をスピーカ筐体の前方へ出力するスピーカ孔と、
前記スピーカ筐体の前面略中央部に設けられ、前記スピーカの後面側より発せられる音を前記スピーカ筐体の前方へ出力するバスレフ孔と、を有することを特徴とする遊技機。
【請求項２】
前記スピーカは、後面側より発せられる音をスピーカの後面側へ通過させる通過孔を有し、
前記通過孔は、前記スピーカの中心より前記バスレフ孔の近傍に形成されていることを特徴とする請求項１に記載の遊技機。
【請求項３】
前記バスレフ孔は、前記遊技機の設置面に対する高さ方向の寸法が、前記スピーカの高さ方向の寸法と略同一であることを特徴とする請求項１又は請求項２に記載の遊技機。
【請求項４】
前記スピーカ筐体は、
前記バスレフ孔の周囲に前記スピーカ筐体の奥行き方向へと立設されたリブを有し、
前記リブの高さ方向の寸法が前記スピーカ筐体の奥行き方向の寸法の４割乃至６割であることを特徴とする請求項１乃至請求項３のいずれかに記載の遊技機。
【発明の詳細な説明】
【技術分野】
【０００１】
本発明は、内枠の下部に音を出力するスピーカ筐体を配置した遊技機において、特に、区画壁によって区画された左右一対の音響空間に楕円形状のスピーカと、スピーカ孔と、バスレフ孔とを設けたパチンコ機等の遊技機に関するものである。
【背景技術】
【０００２】
従来より、パチンコ機等の遊技機において、遊技者側の前面部にスピーカユニット等を設けた遊技機が種々提案されている。
例えば、特開２００３−７９８３４号公報には、遊技機の中枠設置位置より下方位置に区画壁により２つのエンクロージャが形成されたスピーカユニットを設け、一方のエンクロージャには中高音用スピーカを配置し、また、他方のエンクロージャには中低音用のスピーカに加えて、バスレフポートたる音放出口に連なるバスレフダクトを形成することによって低域再生帯域を広くした遊技機用スピーカシステムが記載されている。
【特許文献１】特開２００３−７９８３４号公報（第４頁〜第８頁、図２〜図９）
【発明の開示】
【発明が解決しようとする課題】
【０００３】
しかしながら、前記特許文献１に記載された遊技機用スピーカシステムにおいては、中枠の下方にスピーカユニットを配置する際に、下皿から排出される遊技球を受ける箱の邪魔にならない位置にスピーカユニットを配置する必要があるので、内蔵されるスピーカの大きさが制限され、高出力のスピーカを設置することはできなかった。更に、低音の補強を図るバスレフ孔は、区画壁により形成された複数のエンクロージャの内、一のエンクロージャのみに対して設けられており、その低音の出力は十分でなかった。従って、中高音の音質の飛躍的な向上、及び量感のある低音を再生することが困難であるという問題があった。
【０００４】
そこで、本発明は、上述した問題点を解決するためになされたものであり、限られた配置スペースで高出力の大型スピーカを設置することが可能となるので、音量、音質の向上を図ることができるとともに、区画壁によって形成された左右一対の二つの音響空間内に、スピーカと、スピーカの後面側より発せられる音を前方へと出力するバスレフ孔とをそれぞれ設けることによって、量感のある低音を再生することが可能な遊技機を提供することを目的とする。
【課題を解決するための手段】
【０００５】
前記目的を達成するため請求項１に係る遊技機は、外枠と、前記外枠に遊技者側の前面側にて開閉可能となるように取り付けられた内枠と、前記内枠の下方で、前記外枠の前面部を左右方向及び上下方向の各全幅に渡って覆うように設けられたスピーカ筐体と、を備え、前記スピーカ筐体は、前記スピーカ筐体の内部で左右一対に形成された音響空間と、  前記スピーカ筐体の略中心位置で前記音響空間を左右に区画する区画壁と、楕円形状を有するとともに、楕円の長径が前記スピーカ筐体の長さ方向に沿って前記音響空間に配置されたスピーカと、前記スピーカ筐体の前面略両端部に設けられ、前記スピーカの前面側より発せられる音をスピーカ筐体の前方へ出力するスピーカ孔と、前記スピーカ筐体の前面略中央部に設けられ、前記スピーカの後面側より発せられる音を前記スピーカ筐体の前方へ出力するバスレフ孔と、を有することを特徴とする。
【０００６】
また、請求項２に係る遊技機は、請求項１に記載の遊技機において、前記スピーカは、後面側より発せられる音をスピーカの後面側へ通過させる通過孔を有し、前記通過孔は、前記スピーカの中心より前記バスレフ孔の近傍に形成されていることを特徴とする。
【０００７】
また、請求項３に係る遊技機は、請求項１又は請求項２に記載の遊技機において、前記バスレフ孔は、前記遊技機の設置面に対する高さ方向の寸法が、前記スピーカの高さ方向の寸法と略同一であることを特徴とする。
【０００８】
また、請求項４に係る遊技機は、請求項１乃至請求項３のいずれかに記載の遊技機において、前記スピーカ筐体は、前記バスレフ孔の周囲に前記スピーカ筐体の奥行き方向へと立設されたリブを有し、前記リブの高さ方向の寸法が前記スピーカ筐体の奥行き方向の寸法の４割乃至６割であることを特徴とする。
【発明の効果】
【０００９】
請求項１に係る遊技機では、内枠の下方で、外枠の前面部を左右方向及び上下方向の各全幅に渡って覆うように設けられるスピーカ筐体に内蔵されるスピーカが楕円形状を有するとともに、楕円の長径が前記スピーカ筐体の長さ方向に沿って配置され、また、スピーカ筐体内部に形成された左右一対の音響空間には、スピーカと、スピーカ孔と、バスレフ孔とがそれぞれ配設されるので、円形状を有した通常のスピーカと比較して、限られたスペースでより大きな出力を有するスピーカを設置することが可能となる。また、形成された各音響空間内において、バスレフ孔より低音域の量感を増した音を出力することが可能となる。従って、限られたスピーカ設置スペースを有する遊技機において、出力する音楽、効果音等の音量、音質の向上を図ることができ、特に低音領域において、量感を増した音を出力することが可能となる。
また、メインとなるスピーカの前面側より発せられる音を出力するスピーカ孔が、スピーカ筐体の前面略両端部に設けられているので、下皿から排出される遊技球を受ける為に設置されたドル箱によって出力された音が妨げられることが無い。
【００１０】
また、請求項２に係る遊技機では、スピーカは後面側へ音を通過させる通過孔を有するので、スピーカの後面側より発生した音波を減衰することなく各空間に出力することが可能である。また、通過孔は、バスレフ孔の近傍に設けられているので、発生した音波が空間内に補強の目的で設けられたリブ等によって減衰されることを最小限に押さえ、バスレフ孔より高出力の低音を出力することが可能である。
【００１１】
また、請求項３に係る遊技機では、バスレフ孔は、遊技機の設置面に対する高さ方向の寸法が、スピーカの高さ方向の寸法と略同一であるので、バスレフ孔により出力される低音を最大限に発揮させ、低音域の量感を増した音を出力することが可能となる。
【００１２】
更に、請求項４に係る遊技機では、バスレフ孔の周囲にスピーカ筐体の奥行き方向へと立設されたリブを有し、リブの高さ方向の寸法がスピーカ筐体の奥行き方向の寸法の４割乃至６割であるので、バスレフ孔により出力される低音を最大限に発揮させ、低音域の量感を増した音を出力することが可能となる。
【発明を実施するための最良の形態】
【００１３】
以下、本発明に係る遊技機をパチンコ機について具体化した実施形態に関して図面を参照して詳細に説明する。
【００１４】
先ず、本実施形態に係るパチンコ機の概略構成について図１乃至図４に基づき説明する。
図１及び図２に示すように、パチンコ機１は、正面視矩形に形成される木製の外枠２に対して合成樹脂製の内枠３が、内枠取付用ヒンジを構成する上ヒンジ３Ａ及び下ヒンジ３Ｂを介して外枠２に対して開閉自在に取り付けられている。そして、この内枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して不図示の遊技盤上の遊技領域を見ることができるように構成されている。また、前面カバー部材４の窓部５の上端縁部には、フルカラーの発光ダイオードが内蔵され、遊技中のエラーを表示するエラー表示電飾ランプ６Ａが取付けられている。また、このエラー表示電飾ランプ６Ａの左右外側には、「当たり」等の発生を報知したり遊技中に光演出をする各電飾ランプ６Ｂが取付けられている。また、前面カバー部材４の前面部分は、不透明な合成樹脂製の前面部材４Ａで覆われており、この各電飾ランプ６Ａ、６Ｂと窓部５の上端周縁部との間に、不図示のフルカラーダイオードが左右方向に内蔵され、遊技中に光演出が行われる。
【００１５】
また、前面カバー部材４の右側中央部には、内枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、賞球ケース２２を介して払い出される賞球を受ける上皿７が合成樹脂製プレート８に配設されている。また、このプレート８は、左端縁部の上下を軸支されて、前面カバー部材４を開放後、内側に設けられた不図示のレバーを下げることにより開放できるように取付けられている。また、この上皿７の中央前面部には、カード式球貸機の操作ボタン７Ｂ、７Ｃ及びカード残高表示装置７Ｄが設けられている。そして、その上皿７の下には、下皿９が配設される。また、上皿７に連通する不図示の球送り機構を介して上皿７のパチンコ球が操作ハンドル１０に連結された発射装置１０Ａ（図３参照）へ送られるよう構成されている。
【００１６】
また、外枠２の内枠３より下側部分の前面部を左右方向及び上下方向の各全幅に渡って覆うようにスピーカ筐体１１が設けられている。尚、スピーカ筐体１１については後に詳細に説明する。
また、図４に示すように、内枠３を閉じた場合には、該内枠３の下端部は、その自重によってスピーカ筐体１１の上端面部に当接している。また、このスピーカ筐体１１の底面前端縁部には、後述のように左右方向全幅に渡って外枠２の下端面に対向する位置まで下方に突設されるリブ部１２が設けられている。
【００１７】
また、図２及び図３に示すように、この内枠３のほぼ中央部には不図示の遊技盤が着脱自在なように鉄板等の金属製や合成樹脂製又は合成樹脂の一体成形により形成される機構盤１８に取り付けられている。そして、この機構盤１８の裏側には合成樹脂製の機構セット盤２０が開閉自在に蝶番により取り付けられている。
また、パチンコ機１の裏側最上段には、上方に開口した賞球タンク２１が機構セット盤２０に固定されている。賞球タンク２１は、傾斜した底面に連通孔が形成され、その連通孔の下方にはパチンコ球を２列に整列流出し、賞球ケース２２にパチンコ球を送る通路を形成するタンクレール２３が取付けられている。また、賞球ケース２２内には、賞球案内部２４内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球ケース２２等により賞球及び貸球の払い出しシステムが構成されている。
【００１８】
また、タンクレール２３の下側には液晶表示器（ＬＣＤ）等をカバーする樹脂製のセンターカバー２６が取付けられている。そして、このセンターカバー２６の背面部内側には、スピーカ筐体１１内に装着される各スピーカ１１Ａ、１１Ｂ（図４、図８等参照）を駆動制御する音制御基板２８、各電飾ランプ６Ａ、６Ｂ等を駆動制御するランプ制御基板２９、及びＬＣＤ等を駆動制御する表示制御基板３０が取り付けられている。また、センターカバー２６の下側には、パチンコ機１の遊技動作を制御する主基板３２が内蔵される基板ケース３３が配設されている。また、基板ケース３３の下方には、上皿７から溢れた賞球を受けて下皿９に案内する下部受皿ボックス３５がボルトにより内枠３の裏側に取り付けられている。
また、機構セット盤２０には、賞球ケース２２の下流側に、賞球を上皿７に案内する賞球案内通路部（不図示）や、賞球タンク２１やタンクレール２３内のパチンコ球を抜くための球抜き通路の排出口３７が下向きに開口され、パチンコ球が下方に排出されるように構成されている。また、該賞球ケース２２の下流側には、上皿７から溢れて賞球案内通路部を流れた賞球を下部受皿ボックス３５まで案内する下皿排出路が形成されている（不図示）。また、この下皿排出路の横側（図３中、左側）には、入賞球を排出する入賞球排出通路の排出口３８が下向きに開口され、入賞球が下方に排出されるように構成されている。
【００１９】
次に、外枠２の概略構成について図４及び図５に基づいて説明する。
図５に示すように、外枠２は上下に対向する一対の横枠板４１、４２と、左右に対向する一対の縦枠板４３、４４とにより矩形に形成されている。各横枠板４１、４２及び縦枠板４３、４４は強度の高い合板で形成されており、それぞれ合板を切断加工することで個々に図示のような所定の寸法形状に予め形成されている。
また、各横枠板４１、４２及び縦枠板４３、４４は、ほぼ同じ幅寸法及び同じ厚さ寸法（本実施形態では、例えば、厚さ寸法は約１８〜２０ｍｍである。）に形成されている。そして、各縦枠板４３、４４の長手方向両端縁部の幅方向中央部には、高さ寸法及び厚さ寸法が板厚寸法にほぼ等しくなるように外側に突き出すように形成される断面四角形の各凸部４６が形成されている。また、各横枠板４１、４２の長手方向両端縁部の幅方向中央部の各凸部４６に対向する位置には、幅寸法及び深さ寸法が各凸部４６の断面形状にほぼ等しくなるように形成された各凹部４７が形成されている。そして、各縦枠板４３、４４の各凸部４６は、各横枠板４１、４２の各凹部４７に嵌入されて、各横枠板４１、４２及び各縦枠板４３、４４は、それぞれ互いに直角に交差した状態で組み付けられ、４つの各コーナにおいて、それぞれ３本の釘や木ネジ等の固定部材４８によって互いに結合されている。これにより、図５に示した結合状態では、各横枠板４１、４２及び縦枠板４３、４４の各前面部（図５中、手前側の面）は、同一平面上に位置するように形成されている。
【００２０】
また、外枠２の左上のコーナを形成する上側の横枠板４１及び左側の縦枠板４３には、上ヒンジ３Ａをネジ止めやカシメ等によって取り付けるための各貫通孔５１が穿設されている。また、左側の縦枠板４３には、下ヒンジ３Ｂをネジ止めやカシメ等によって取り付けるための各貫通孔５２が穿設されている。
また、図４及び図５に示すように、下側の横枠板４２には、各縦枠板４３、４４より内側の左右方向ほぼ全幅に渡って、前端縁部から幅方向略中央位置まで、位置決め凹部として機能する所定深さ（本実施形態では、例えば、深さ寸法は約５〜９ｍｍで、板厚の約１／３の深さ寸法である。）のスピーカ取付凹部５５が予め形成されている。
【００２１】
次に、スピーカ筐体１１の概略構成について図４、図６乃至図１３に基づいて説明する。
図４、図６乃至図８に示すように、スピーカ筐体１１は、下側の横枠板４２及び各縦枠板４３、４４の前面部から内枠３の前面部まで前側方向に膨出される正面視横長四角形の合成樹脂製の前蓋部材６１と、該前蓋部材６１の背面部の周縁部を覆う平板部６２Ａと、該平板部６２Ａの下側の横枠板４２の前面上端縁部より上側の部分から裏側方向に膨出される膨出部６２Ｂとを有する合成樹脂製のスピーカ収容部材６２と、から構成された略直方体の箱型形状を有する。また、前蓋部材６１の内側左右両端部には、一対のスピーカ１１Ａ、１１Ｂが配設され、配設されたスピーカ１１Ａ、１１Ｂの正面にはそれぞれスピーカ１１Ａの表面側より発せられる音を前方へ出力するスピーカ孔５８Ａと、スピーカ１１Ｂの表面側より発せられる音を前方へ出力するスピーカ孔５８Ｂとが設けられている。更に、前蓋部材６１の略中心部には、スピーカ１１Ａの裏面側より発せられる音を前方へ出力するバスレフ孔５９Ａと、スピーカ１１Ｂの裏面側より発せられる音を前方へ出力するバスレフ孔５９Ｂとが設けられている。尚、スピーカ孔５８Ａ、５８Ｂとバスレフ孔５９Ａ、５９Ｂについての詳細は後述する。
【００２２】
また、図９及び図１０に示すように、この前蓋部材６１は、外枠２の内枠３より下側部分（図１参照）で、各縦枠板４３、４４より内側の左右方向全幅に渡る部分に対応する正面視横長四角形で所定厚さ（本実施形態では、厚さ寸法は、約２．５ｍｍ〜３．５ｍｍである。）の前側平板部６４と、この前側平板部６４の左右両側端縁部（図９（Ａ）、（Ｃ）中、左右両側端縁部）から後方（図９（Ｂ）中、上方向）に延出されて、内枠３の下端面前端縁部から外枠２の左右外側の両側端縁部に達するように形成される水平断面略１／４円弧状の各側面延出部６５、６６と、該前側平板部６４及び各側面延出部６５、６６の上下側端縁部（図９（Ａ）、（Ｃ）中、上下側端縁部）からほぼ水平に延出される上面延出部６７と下面延出部６８とから構成され、後側に開口する横長箱体状に形成されている。
また、前蓋部材６１の左上角部の上面部には、下ヒンジ３Ｂに取付けるための段差部６９が形成されている。また、前蓋部材６１の各側面延出部６５、６６の上下端部（図１０（Ｃ）中、上下端縁部）には、後述のように木ネジが挿通される各取付孔７０が穿設されている（図１４参照）。この各側面延出部６５、６６の上端部に穿設される各取付孔７０は、各縦枠板４３、４４に対向し、該各側面延出部６５、６６の下端部に穿設される各取付孔７０は、下側の横枠板４２に対向する位置に設けられている。
また、図４、図１０（Ａ）、（Ｃ）、（Ｄ）に示すように、前側平板部６４の上下方向下端縁部には、該前側平板部６４の全幅に渡って下方（図１０（Ｃ）中、下側方向）に所定高さ（本実施形態では、約０．２ｍｍ〜３ｍｍの高さ寸法である。）突設されるリブ部１２が設けられている。
【００２３】
また、図９（Ｃ）及び図１０（Ｃ）に示すように、前側平板部６４の前面部のほぼ全面には、図１１に示す所定小径及び所定深さ（本実施形態では、内径約２ｍｍ〜３ｍｍで、深さは約１〜２ｍｍである。）の底部が見難い非貫通の各凹部７１が所定配列パターン（本実施形態では、上下方向及び左右方向に約３ｍｍピッチで配列されている。）で設けられている。
また、図９（Ａ）及び図１０（Ａ）に示すように、前側平板部６４及び各側面延出部６５、６６の裏面側には、左右方向及び上下方向に所定高さの補強リブ７２が立設されている。また、前側平板部６４の裏面の各スピーカ１１Ａ、１１Ｂに対応する部分には略横長楕円形の各取付リブ７３が立設されている。また、この各取付リブ７３の内側部分のスピーカ孔５８Ａ、５８Ｂ領域に配設される各凹部７１は、図１２に示すように、底面部が裏側に連通される貫通孔７５に接続されて貫通され、各スピーカ１１Ａ、１１Ｂの前面方向への音放出口を構成している。
【００２４】
また、図１０（Ａ）、（Ｂ）に示すように、各取付リブ７３間の左右方向中央部には、断面略四角形状のバスレフ用リブ７６が所定高さ（本実施形態では、スピーカ筐体１１の奥行き寸法（６０ｍｍ）の略半分の寸法である３２ｍｍである。）立設されている。また、このバスレフ用リブ７６の左右方向中央位置には、バスレフ孔５９Ａ、５９Ｂ及びバスレフ用リブ７６を左右方向に２分割すると共に、該前蓋部材６１の内側部分を左右方向に２分割するように、このバスレフ用リブ７６の裏側端縁部（図１０（Ｂ）中、上端縁部）まで裏側方向に延出される分割リブ７７が立設されている。この分割リブ７７は、後述のスピーカ収容部材６２に設けられた二分割リブ８８とともにスピーカ筐体の内部に左右一対の２つのエンクロージャ（音響空間）１１０、１１１を形成する（図８参照）。
また、このバスレフ用リブ７６の内側部分（バスレフ孔５９）に配設される各凹部７１は、図１２に示すように、底面部が裏側に連通される貫通孔７５に接続されて貫通され、各スピーカ１１Ａ、１１Ｂの裏側方向に発せられる音を出力する音放出口を構成している（図８参照）。
また、各取付リブ７３とバスレフ用リブ７６との間の左右方向ほぼ中央位置のそれぞれの上下端部には、各取付用ボス７９が所定高さ（本実施形態では、前蓋部材６１の裏側端縁部とほぼ等しい高さになる高さ寸法である（図８参照）。）立設されている。
ここで、この前蓋部材６１の外側面、即ち、前側平板部６４、各側面延出部６５、６６、上面延出部６７及び下面延出部６８の各表側面と、各凹部７１及び各貫通孔７５の内面とは、各スピーカ１１Ａ、１１Ｂの各貫通孔７５に対向する部分の色に対してコントラストの小さな色又は同じ色（例えば、黒色や灰色、銀色等である。）の着色、塗装、メッキ等がされている。
【００２５】
次に、前蓋部材６１に取り付けられたスピーカ１１Ａ、１１Ｂについて説明する。スピーカ１１Ａ、１１Ｂは楕円形のコーンを備えた楕円形コーン式スピーカである。そして、楕円形の長径方向が、水平方向（スピーカ筐体１１の長さ方向）に沿って前蓋部材６１に取り付けられている。
【００２６】
またスピーカ１１Ａ、１１Ｂの後面側には、一のスピーカに対してそれぞれ四箇所の通過孔７８が設けられている。通過孔７８は、スピーカ１１Ａ、１１Ｂの裏面側より発せられる音を減衰することなくバスレフ孔５９Ａ、５９Ｂに導く為に形成された孔である。ただし、四箇所の通過孔７８の内、外側向きに形成された二箇所の通過孔７８上には、各スピーカ１１Ａ、１１Ｂを駆動するためのスピーカ駆動ケーブル１０５が接続された配線板１０６が取り付けられ、その通過孔７８の大部分が塞がれることとなっている。また、スピーカ駆動ケーブル１０５は他端が後述のスピーカ収容部材６２に設けられた接続コネクタ８９に接続されている（図８参照）。
【００２７】
そして、スピーカ１１Ａの楕円形状のコーン表面より発せられる音は、スピーカ孔５８Ａより出力される。また、スピーカ１１Ａの裏面側より発せられる音は、通過孔７８を介してエンクロージャ１１０に送られ、エンクロージャ１１０内を通ってバスレフ孔５９Ａより出力される。また、スピーカ１１Ｂの楕円形状のコーン表面より発せられる音は、スピーカ孔５８Ｂより出力される。また、スピーカ１１Ｂの裏面側より発せられる音は、通過孔７８を介してエンクロージャ１１１に送られ、エンクロージャ１１１内を通ってバスレフ孔５９Ｂより出力される（図１７参照）。
【００２８】
以上より、スピーカ１１Ａ、１１Ｂは、楕円形コーン式スピーカで、且つ、楕円形の長径方向が、水平方向（スピーカ筐体１１の長さ方向）に沿って前蓋部材６１に取り付けられているので、通常の円形型のコーンを有する円形コーン式スピーカに比較して、限られた高さスペースでより大きな出力を持たせることが可能である。また、スピーカ１１Ａ、１１Ｂの後面には複数の通過孔７８が形成されているので、スピーカ１１Ａ、１１Ｂの裏面側より発せられる音を減衰することなくエンクロージャ１１０、１１１内に放出することが可能である。
また、スピーカ１１Ａ、１１Ｂの前面より発せられる音を出力するスピーカ孔５８Ａ、５８Ｂは、スピーカ筐体１１の両端部に位置するので、メインとなる前面からの出力音が下皿から排出される遊技球を受ける為に配置されたドル箱（図示せず）によって妨げられること等が無い。
更に、スピーカ１１Ａ、１１Ｂの駆動に必要な配線板１０６は、バスレフ孔５９Ａ、５９Ｂに対して外側に位置する通過孔７８上に設けており、スピーカ１１Ａ、１１Ｂの中心Ｈよりもバスレフ孔５９Ａ、５９Ｂの近傍に設けられた通過孔７８は完全に開放されているので、バスレフ孔５９Ａ、５９Ｂへと送られる音波がリブ等によって減衰される量を最小限とし、量感のある低音を再生することが可能となる。
【００２９】
次に、前蓋部材６１とともにスピーカ筐体１１を形成するスピーカ収容部材６２について説明する。
図１３に示すように、スピーカ収容部材６２は、前蓋部材６１の裏側周縁部とほぼ同じ形状で、該前蓋部材６１の裏側周縁部が当接される平板部６２Ａと、該平板部６２Ａの下側の横枠板４２の前面上端縁部より上側の部分（図４参照）から各縦枠板４３、４４より内側の左右方向全幅に渡って、下側の横枠板４２の前後方向幅寸法の約１／２の寸法だけ裏側方向（図１３（Ｂ）中、上方向）に膨出される膨出部６２Ｂとから構成されている。
また、膨出部６２Ｂの上面部及び底面部の前蓋部材６１の各取付用ボス７９に対応する部分には、前後方向全幅に渡って断面略半円形状の各溝部８１が形成され、該各溝部８１の前端縁部の平板部６２Ａには、各取付用ボス７９に対向する位置に取付用ネジが挿通される各貫通孔８２が穿設されている。
【００３０】
また、平板部６２Ａの前面部には、前蓋部材６１の裏側周縁部の内周面に摺接するように前蓋取付用リブ８４が所定高さ（本実施形態では、約２ｍｍ〜５ｍｍの高さ寸法である。）で周設されている。また、この前蓋取付用リブ８４の左右両端縁部の内周側上下端部には、前蓋部材６１の各取付孔７０に対向する位置に、木ネジが挿通される各貫通孔８６が穿設される各取付用ボス部８７が、この前蓋取付用リブ８４とほぼ同じ高さ寸法で立設されている。更に、前蓋取付用リブ８４の内側にはスピーカ収容部材６２を補強する収容部材補強リブ８５がマス目状に形成されている。
また、この膨出部６２Ｂ内の左右方向中央の前蓋部材６１の分割リブ７７に対応する位置には、この膨出部６２Ｂ内を左右に二分割するように内側面に立設される二分割リブ８８（区画壁）が設けられている。そして、この二分割リブ８８の前端縁部は、前蓋部材６１にスピーカ収容部材６２を取り付けることにより、該前蓋部材６１の分割リブ７７の後端縁部に当接され、このスピーカ筐体１１内の空間を左右にほぼ等分割するように構成されている（図８参照）。そして、分割された空間は、それぞれ左右一対のエンクロージャ１１０、１１１を形成する。
【００３１】
また、膨出部６２Ｂの背面部の左端部（図１３（Ｃ）中、左端部）には、各スピーカ１１Ａ、１１Ｂを駆動するためのスピーカ駆動ケーブル（不図示）が裏側方向から接続される接続コネクタ８９（図７（Ａ）参照）が取付けられる断面略四角形のコネクタ取付孔９０が穿設されている。また、このコネクタ取付孔９０の左右方向外側には、接続コネクタ８９をネジ止めするための貫通孔９１が穿設されている。また、膨出部６２Ｂの背面部には、該膨出部６２Ｂを下側の横枠板４２のスピーカ取付凹部５５に載置した場合に、該下側の横枠板４２の上端面部に対向する高さで、左右方向中央位置及び各スピーカ１１Ａ、１１Ｂの後端縁部が挿入されるスピーカ挿入リブ９２の背面部に対応する位置から平面視略三角形状の平板状の各取付部９３が、裏側方向水平に延出されている。また、各取付部９３の裏側方向先端部には、木ネジが挿通される貫通孔９４が穿設されている。
また、膨出部６２Ｂの上面部の下ヒンジ３Ｂに対向する位置には、スピーカ筐体１１を下ヒンジ３Ｂの下面にネジ止めするためのネジ孔９５が設けられている。
【００３２】
次に、スピーカ筐体１１の外枠２への取り付け・取り外し方法について図１４乃至図１６に基づいて説明する。
ここで、スピーカ筐体１１の組み立ては、先ず、前蓋部材６１の裏側面に立設される各取付リブ７３に各スピーカ１１Ａ、１１Ｂを押し当ててネジ止めし、各スピーカ１１Ａを前蓋部材６１の裏側面に取り付ける。また、スピーカ収容部材６２のコネクタ取付孔９０に接続コネクタ８９をネジ止めする。そして、各スピーカ１１Ａの配線用コネクタをこの接続コネクタ８９に接続後、前蓋部材６１のリブ部１２が下側方向になると共に、スピーカ収容部材６２の各取付部９３が下側方向になるように、この前蓋部材６１の裏側周縁部内にスピーカ収容部材６２の前蓋取付用リブ８４を嵌入させつつ、該スピーカ収容部材６２の平板部６２Ａを前蓋部材６１の裏側端面部に当接させる。続いて、スピーカ収容部材６２の各貫通孔８２に裏側方向からビスを挿通し、前蓋部材６１の各取付用ボス７９にネジ止めして取り付け、スピーカ筐体１１を構成する（図７、図８参照）。
【００３３】
そして、図１４乃至図１６に示すように、前蓋部材６１のリブ部１２が下側になるようにスピーカ筐体１１をほぼ水平に保持して、外枠２の前面側から、スピーカ筐体１１のスピーカ収容部材６２を下側の横枠板４２と下ヒンジ３Ｂとの間に（図１４中、矢印９７方向に）挿入する。そして、スピーカ収容部材６２の膨出部６２Ｂの底面部をスピーカ取付凹部５５に載置した状態で、該スピーカ収容部材６２の平板部６２Ａを横枠板４２及び各縦枠板４３、４４の前面部に当接させる。そして、前蓋部材６１の各取付孔７０及びスピーカ収容部材６２の各貫通孔８６に各木ネジ９８を挿入し、上側の各木ネジ９８をそれぞれ縦枠板４３、４４の前面部にネジ止めし、下側の各木ネジ９８を下側の横枠板４２の前面部にネジ止めする。また、スピーカ収容部材６２の背面部に設けられる各取付部９３の各貫通孔９４に各木ネジ９９を挿通して、横枠板４２の上端面部にネジ止めする。更に、下ヒンジ３Ｂの貫通孔１０１にネジ１０２を挿通し、スピーカ収容部材６２の上面部に形成されるネジ孔９５にネジ止めし、固定する。これにより、スピーカ筐体１１は外枠２の前面部下方を覆うように取り付けられる。そして、内枠３を各ヒンジ３Ａ、３Ｂを介して取り付けて、スピーカ駆動ケーブル（不図示）を接続コネクタ８９に接続後、該内枠３を閉じた場合には、この内枠３の下端縁部がスピーカ筐体１１の上端面部に当接され、該内枠３の前面部に連続するパチンコ機１の前面部が構成される（図１及び図４参照）。
【００３４】
一方、スピーカ筐体１１を外枠２から取り外す場合には、先ず、内枠３を前側に開き、接続コネクタ８９からスピーカ駆動ケーブル（不図示）を取り外す。続いて、ネジ１０２、各木ネジ９９及び各木ネジ９８を前面側から取り外した後、該スピーカ筐体１１を前側方向に水平に引き出すことにより、パチンコ機１の前面側からスピーカ筐体１１を容易に取り外すことができる。
【００３５】
次に、前記のように構成されたスピーカ筐体１１の音出力機構について図１７乃至図２０に基づいて説明する。図１７及び図１８は本実施形態に係るスピーカ筐体による音の出力機構を模式的に示した説明図である。
【００３６】
図１７及び図１８に示すように、本実施形態においてスピーカ１１Ａ、１１Ｂより発せられる音をスピーカ筐体１１の外部へと出力する方法は基本的に二通りの方法からなる。
先ず、一の方法としてスピーカ１１Ａ、１１Ｂの前面側、即ち楕円形コーン面から発せられた音を前面に設けられたスピーカ孔５８Ａ、５８Ｂを介して直接出力する方法がある。その際には、スピーカ１１Ａ、１１Ｂの振動により発生した音波は特に変化することなく、通常のスピーカ音が出力される。
【００３７】
また、他の方法として、スピーカ１１Ａ、１１Ｂの後面側、即ち楕円形コーン面の裏側から発せられた音をバスレフ孔５９Ａ、５９Ｂを介して出力する方法がある。
以下には、バスレフ孔５９Ａより出力される音の出力構造について述べる。
スピーカ１１Ａより発生した音波は、通過孔７８を通って先ずエンクロージャ１１０に出力される。ここで、エンクロージャ１１０は前蓋部材６１と、スピーカ収容部材６２と、分割リブ７７と、二分割リブ８８とで密閉された筒状形状を有しており、また、エンクロージャ１１０内にバスレフ用リブ７６により形成されたバスレフ空間１１２Ａも同様に筒状形状を有する。
【００３８】
そして、スピーカ１１Ａの後面側より発生した音波は、図１７及び図１８の矢印１１５に示す順路に沿ってエンクロージャ１１０を進み、バスレフ空間１１２Ａを通ってバスレフ孔５９Ａから出力される。その際に、エンクロージャ１１０とバスレフ空間１１２Ａとで音波が共鳴し、低音域の量感を増した音をバスレフ孔５９Ａより出力することが可能となる。
【００３９】
次に、バスレフ孔５９Ｂより出力される音の出力構造について述べる。
スピーカ１１Ｂより発生した音波は、通過孔７８を通って先ずエンクロージャ１１１に出力される。ここで、エンクロージャ１１１は前蓋部材６１と、スピーカ収容部材６２と、分割リブ７７と、二分割リブ８８とで密閉された筒状形状を有しており、また、エンクロージャ１１１内にバスレフ用リブ７６により形成されたバスレフ空間１１２Ｂも同様に筒状形状を有する。
そして、スピーカ１１Ｂの後面側より発生した音波は、図１７及び図１８の矢印１１６に示す順路に沿ってエンクロージャ１１１を進み、バスレフ空間１１２Ｂを通ってバスレフ孔５９Ｂから出力される。その際に、エンクロージャ１１１とバスレフ空間１１２Ｂとで音波が共鳴し、低音域の量感を増した音をバスレフ孔５９Ｂより出力することが可能となる。
【００４０】
続いて、スピーカ筐体１１及びスピーカ１１Ａ、１１Ｂに対するバスレフ孔５９Ａ、５９Ｂ及びバスレフ空間１１２Ａ、１１２Ｂのサイズの差異に基づいた音出力の比較について述べる。前記したように、本実施形態に係るスピーカ筐体１１では、スピーカ１１Ａ、１１Ｂの後面側より発せられた音波により、エンクロージャ１１０、１１１とバスレフ空間１１２Ａ、１１２Ｂとの間で共鳴が起こり、低音域の量感を増した音を出力することが可能であるが、その出力される音圧は、スピーカ筐体１１及びスピーカ１１Ａ、１１Ｂに対するバスレフ孔５９Ａ、５９Ｂ及びバスレフ空間１１２Ａ、１１２Ｂのサイズによって大きく異なる。
【００４１】
ここで、図１７及び図１８に示すようにスピーカ筐体１１の高さ寸法をＬ１、スピーカ筐体１１の奥行き寸法をＬ２、スピーカ１１Ａ、１１Ｂの高さ寸法をＬ３、バスレフ孔５９Ａ、５９Ｂの高さ寸法をＬ４、バスレフ孔５９Ａ、５９Ｂの横寸法をＬ５、バスレフ空間１１２Ａ、１１２Ｂの奥行き寸法（バスレフ用リブ７６の高さ寸法）Ｌ６とすると、本実施形態に係るスピーカ筐体１１の各値は図１９に示すようになる。更に、Ｌ１〜Ｌ６の各値を変更した他の実施形態に係るスピーカ筐体についても同様に図１９に示す。
【００４２】
図１９に示すように、本実施形態に係るスピーカ筐体１１では、バスレフ孔の高さ寸法（Ｌ４）が、スピーカ１１Ａ、１１Ｂの高さ寸法（Ｌ３）と略同一の寸法を有している。また、バスレフ空間の奥行き寸法（Ｌ６）は、スピーカ筐体１１の奥行き寸法（Ｌ２）の約５割となっている。一方、他の実施形態に係るスピーカ筐体では、バスレフ孔の高さ寸法（Ｌ４）が、スピーカ１１Ａ、１１Ｂの高さ寸法（Ｌ３）と比較して半分以下となっている。また、バスレフ空間の奥行き寸法（Ｌ６）は、スピーカ筐体１１の奥行き寸法（Ｌ２）の約７割となっている。
【００４３】
そして、図１９に示す各寸法を有する本実施形態に係るスピーカ筐体１１、及び他の実施形態に係るスピーカ筐体において、同一のスピーカ１１Ａ、１１Ｂを用いて音を出力し、出力された音圧をそれぞれ測定すると、図２０のような結果を得る。図２０は本実施形態に係るスピーカ筐体及び他の実施形態に係るスピーカ筐体による音出力の測定結果を示した図である。
【００４４】
本測定においては、パチンコ機の遊技盤の中心より５０ｃｍ離れた地点（通常、遊技中の遊技者の耳が位置する）でスピーカ筐体より出力された音圧の測定を行っている。そして、スピーカ１１Ａ、１１Ｂからは、通常の遊技において使用される音の周波数領域の内より２００Ｈｚ、３１５Ｈｚ、５００Ｈｚ、８００Ｈｚ、１．２５ｋＨｚ、２ｋＨｚの計６パターンの周波数により音を発生させている。
【００４５】
その結果、図２０に示すように、本実施形態に係るスピーカ筐体及び他の実施形態に係るスピーカ筐体による音出力は、周波数２００Ｈｚでは１３．８ｄＢ（デシベル）の差が生じている。また、周波数３１５Ｈｚでは１６．６ｄＢの差が生じている。また、周波数５００Ｈｚでは１８．０ｄＢの差が生じている。また、周波数８００Ｈｚでは１１．１ｄＢの差が生じている。また、周波数１．２５ｋＨｚでは５．５ｄＢの差が生じている。また、周波数２ｋＨｚでは６．９ｄＢの差が生じている。
従って、特に低音領域である２００Ｈｚ〜５００Ｈｚにおいて、本実施形態と他の実施形態とで大きな音圧の差異が生じており、本実施形態に係るスピーカ筐体１１では、低音域においても大きな出力を維持することが可能となっている。
【００４６】
即ち、バスレフ孔の高さ寸法（Ｌ４）が、スピーカ１１Ａ、１１Ｂの高さ寸法（Ｌ３）と略同一の寸法を有し、且つ、バスレフ空間の奥行き寸法（Ｌ６）は、スピーカ筐体１１の奥行き寸法（Ｌ２）の約５割とすることにより、バスレフ孔５９Ａ、５９Ｂにより出力される低音を最大限に発揮させ、低音域の量感を増した音を出力することが可能となる。
【００４７】
尚、バスレフ空間の奥行き寸法（Ｌ６）を、スピーカ筐体１１の奥行き寸法（Ｌ２）の４割乃至６割に設定した場合においても、約５割に設定した場合とほぼ同等の低音域の量感を増した音を出力することが可能となる。
【００４８】
以上、本実施形態に係るパチンコ機では、内枠３の下部に設置されたスピーカ筐体１１は、設置された楕円形コーン式スピーカ１１Ａ、１１Ｂの前面側より発せられる音を外部へ出力するスピーカ孔５８Ａ、５８Ｂと、後面側より発せられる音を外部へ出力するバスレフ孔５９Ａ、５９Ｂとを有し、特にバスレフ孔５９Ａ、５９Ｂより出力される音は、通過孔７８を通してスピーカ筐体１１内に形成されたエンクロージャ１１０、１１１内に一旦出力され、バスレフ空間１１２Ａ、１１２Ｂを介してバスレフ孔５９Ａ、５９Ｂより出力されるので、エンクロージャ１１０、１１１とバスレフ空間１１２Ａ、１１２Ｂとで発せられた音波が共鳴し、低音域の量感を増した音を２つのバスレフ孔５９Ａ、５９Ｂよりそれぞれ出力することが可能となる。
また、楕円形コーン式スピーカ１１Ａ、１１Ｂは円形コーン式スピーカと比較して、限られた高さ領域に、より大きな出力を有するスピーカを設置することができるので、音量、音質の向上を図ることができる。
また、スピーカ１１Ａ、１１Ｂの前面より発せられる音を出力するスピーカ孔５８Ａ、５８Ｂは、スピーカ筐体１１の両端部に位置するので、メインとなる前面側からの出力音が下皿から排出される遊技球を受ける為に配置されたドル箱（図示せず）によって妨げられること等が無い。
また、スピーカ１１Ａ、１１Ｂの裏面側に通過孔７８を設けることによって、コーンの裏側より発生した音波を減衰することなくエンクロージャ１１０、１１１に出力することが可能である。また、通過孔７８はスピーカ１１Ａ、１１Ｂの中心Ｈよりもバスレフ孔５９Ａ、５９Ｂに近い面に設けられているので、発生した音波がエンクロージャ１１０、１１１内に補強等の目的で設けられた補強リブ７２、８５等による減衰を最小限に押さえ、バスレフ孔５９Ａ、５９Ｂより出力することが可能である。
更に、バスレフ孔の高さ寸法（Ｌ４）が、スピーカ１１Ａ、１１Ｂの高さ寸法（Ｌ３）と略同一の寸法を有し、且つ、バスレフ空間の奥行き寸法（Ｌ６）は、スピーカ筐体１１の奥行き寸法（Ｌ２）の４割乃至６割とすることにより、バスレフ孔５９Ａ、５９Ｂにより出力される低音を最大限に発揮させ、低音域の量感を増した音を出力することが可能となる。
【００４９】
尚、本発明は、上記実施形態に限定されるものではなく、本発明の要旨を逸脱しない範囲内で種々の改良、変形が可能であることは勿論である。
例えば、本実施形態においては、分割リブ７７及び二分割リブ８８によって二つのエンクロージャ１１０、１１１が形成されているが、エンクロージャ１１０、１１１の数は二つに限られることなく、それ以上の数を形成することも可能である。
また、一のエンクロージャに対して複数のスピーカや、複数のスピーカ孔、複数のバスレフ孔を形成することも可能である
【００５０】
また、スピーカ１１Ａ、１１Ｂに形成された通過孔７８は、エンクロージャ１１０、１１１内に補強等の目的で設けられた補強リブ７２、８５等による減衰が押さえることができる位置であれば、その位置はバスレフ孔５９Ａ、５９Ｂ方向に限られるものではない。例えば、補強リブ７２、８５に高さを調節すれば、配線板１０６をバスレフ孔５９Ａ、５９Ｂに近い側の通過孔７８に取り付け、バスレフ孔５９Ａ、５９Ｂに対して反対側に位置する通過孔７８を開放しても良い。
【図面の簡単な説明】
【００５１】
【図１】本実施形態に係るパチンコ機全体を示した正面図である。
【図２】本実施形態に係るパチンコ機全体を示した側面図である。
【図３】本実施形態に係るパチンコ機全体を示した背面図である。
【図４】図１のＸ１−Ｘ１矢視要部拡大断面図である。
【図５】本実施形態に係るパチンコ機の外枠を示す斜視図である。
【図６】本実施形態に係るパチンコ機のスピーカ筐体を示す斜視図である。
【図７】本実施形態に係るパチンコ機のスピーカ筐体を示す図で、（Ａ）は背面図、（Ｂ）は平面図、（Ｃ）は正面図、（Ｄ）は右側面図である。
【図８】本実施形態に係るパチンコ機のスピーカ筐体を示す水平断面図である。
【図９】本実施形態に係るパチンコ機のスピーカ筐体の前蓋部材に各スピーカを取り付けた状態を示す図で、（Ａ）は背面図、（Ｂ）は平面図、（Ｃ）は正面図、（Ｄ）は右側面図である。
【図１０】本実施形態に係るパチンコ機のスピーカ筐体の前蓋部材を示す図で、（Ａ）は背面図、（Ｂ）は平面図、（Ｃ）は正面図、（Ｄ）は右側面図である。
【図１１】図１０のＰ部を示す図で、（Ａ）は要部拡大正面図、（Ｂ）は（Ａ）のＸ２−Ｘ２矢視側断面図である。
【図１２】図１０のＱ部を示す図で、（Ａ）は要部拡大正面図、（Ｂ）は（Ａ）のＸ３−Ｘ３矢視側断面図である。
【図１３】本実施形態に係るパチンコ機のスピーカ筐体のスピーカ収容部材を示す図で、（Ａ）は背面図、（Ｂ）は平面図、（Ｃ）は正面図、（Ｄ）は右側面図である。
【図１４】本実施形態に係るパチンコ機のスピーカ筐体の外枠への取り付け方法を説明する図である。
【図１５】本実施形態に係るパチンコ機のスピーカ筐体を外枠に取り付けた状態を示す図である。
【図１６】図１５のスピーカ筐体部分の水平断面図である。
【図１７】本実施形態に係るパチンコ機のスピーカ筐体の音出力構造を模式的に示した説明図である。
【図１８】本実施形態に係るパチンコ機のスピーカ筐体の音出力構造を模式的に示した説明図である。
【図１９】本実施形態に係るスピーカ筐体及び他の実施形態に係るスピーカ筐体を構成する各部材の寸法を示した図である。
【図２０】本実施形態に係るスピーカ筐体及び他の実施形態に係るスピーカ筐体による音出力の測定結果を示した図である。
【符号の説明】
【００５２】
１                        パチンコ機
２                        外枠
３                        内枠
３Ａ                      上ヒンジ
３Ｂ                      下ヒンジ
１１                      スピーカ筐体
１１Ａ、１１Ｂ            スピーカ
３７、３８                排出口
４１、４２                横枠板
４３、４４                縦枠板
５８Ａ、５８Ｂ            スピーカ孔
５９Ａ、５９Ｂ            バスレフ孔
６１                      前蓋部材
６２                      スピーカ収容部材
７７                      分割リブ
７８                      通過孔
８８                      二分割リブ
１１０、１１１            エンクロージャ
１１２Ａ、１１２Ｂ        バスレフ空間
Ｌ１                      スピーカ筐体の高さ寸法
Ｌ２                      スピーカ筐体の奥行き寸法
Ｌ３                      スピーカの高さ寸法
Ｌ４                      バスレフ孔の高さ寸法
Ｌ５                      バスレフ孔の横寸法
Ｌ９                      バスレフ空間の奥行き寸法（バスレフ用リブの高さ寸法）
【図１】
2005323725.tif 000003
【図２】
2005323725.tif 000004
【図３】
2005323725.tif 000005
【図４】
2005323725.tif 000006
【図５】
2005323725.tif 000007
【図６】
2005323725.tif 000008
【図７】
2005323725.tif 000009
【図８】
2005323725.tif 000010
【図９】
2005323725.tif 000011
【図１０】
2005323725.tif 000012
【図１１】
2005323725.tif 000013
【図１２】
2005323725.tif 000014
【図１３】
2005323725.tif 000015
【図１４】
2005323725.tif 000016
【図１５】
2005323725.tif 000017
【図１６】
2005323725.tif 000018
【図１７】
2005323725.tif 000019
【図１８】
2005323725.tif 000020
【図１９】
2005323725.tif 000021
【図２０】
2005323725.tif 000022